(57)【要約】【課題】緻密な温度調整、均一加熱などができ、調理性能を十分確保しつつ使い勝手がよく、利便性に優れた組込み型の誘導加熱調理器用の大容量、大底径を有した被加熱調理容器を提供すること。【解決手段】トッププレートの下方に配設された複数個の誘導加熱装置の加熱部を覆い隠すように形成することで、大容量、大底径を有した構成とすることができ、トッププレートの面に効率的に当接させて操作部ユニットにより複数個の加熱部を同時に一定火力で加熱、制御したり、複数個の加熱部をそれぞれ異なる火力で加熱、制御したりできる。【選択図】図１
2010167109.tif 000002
【特許請求の範囲】
【請求項１】
組込み型誘導加熱調理器において、トッププレートの下方に配設された複数個の誘導加熱装置の加熱部を少なくとも２個以上覆い隠すように前記トッププレートに載置される被加熱調理容器であって、前記被加熱調理容器の底面にはそれぞれの前記誘導加熱装置の加熱部を覆う同心円状の加熱凸部を複数個有し、前記複数個の加熱凸部は前記トッププレートと当接してなる構成とした被加熱調理容器。
【請求項２】
被加熱調理容器は、トッププレートの端面を全周覆うように嵌合したトップフレームの端面で係止する位置決めリブを配設してなる請求項１に記載の被加熱調理容器。
【請求項３】
複数個の誘導加熱装置おのおのの加熱部の略加熱範囲に合わせて、加熱ゾーン、保温ゾーンを配設し、前記加熱ゾーンと前記保温ゾーンの調理面にそれぞれ異なる形状を有した請求項１に記載の被加熱調理容器。
【請求項４】
アルミニウム加熱可能な誘導加熱装置を有した誘導加熱調理器において、全体をアルミニウムで構成した請求項１に記載の被加熱調理容器。
【請求項５】
被加熱調理容器の温度を検知して制御する温度検知装置は、それぞれの誘導加熱装置に少なくとも１個配設され、前記被加熱調理容器を温度制御する前記温度検知装置の内の１個が異常温度を検知して加熱を停止すると、同時に残りの前記温度検知装置も加熱を停止するよう制御してなる請求項１に記載の被加熱調理容器。
【請求項６】
被加熱調理容器を加熱する複数個の誘導加熱装置をすべて同時に加熱開始または加熱停止する１個の一括スイッチを配設してなる請求項１に記載の被加熱調理容器。
【請求項７】
組込み型誘導加熱調理器に１個の一括スイッチに付随して火力調節可能な一括火力操作キーを配設し、前記一括火力操作キーを押して所定の火力に設定すれば被加熱調理容器を加熱する複数個の誘導加熱装置の消費電力をすべて同じに制御してなる請求項６に記載の被加熱調理容器。
【請求項８】
組込み型誘導加熱調理器の複数個の誘導加熱装置それぞれに対応して、火力調節可能な個別火力操作キーを配設してなる請求項３または７に記載の被加熱調理容器。
【発明の詳細な説明】
【技術分野】
【０００１】
本発明は、主に家庭用のキッチンに組み込まれる組込み型誘導加熱調理器の加熱用調理容器に関し、特に複数の加熱バーナーを覆って複数の加熱バーナーで効率よく加熱される構成の被加熱調理容器に関するものである。
【背景技術】
【０００２】
従来、この種の家庭用のキッチンに組み込まれる組込み型誘導加熱調理器用の被加熱調理容器の構成において加熱は、１バーナーに１個の鍋やフライパンといった被加熱調理容器を調理面を構成するガラスプレートに配置して加熱するように構成したものが一般的である。
【０００３】
まず図８は従来の組込み型の誘導加熱調理器用の被加熱調理容器の一例を示すものである。図８に示すように本体ユニット８０は外郭ケース８１の中に２口の誘導加熱装置８２と冷却装置８３と制御装置８４を配設して構成し、トップユニット８５はトップフレーム８６の下方にトッププレート８７とさらにその下方にアンダーフレーム８８を配設し、トップフレーム８６とトッププレート８７とアンダーフレーム８８を互いに接着、かしめて固定している。ここで本体ユニット８０の上方開口部を覆うようにトップユニット８５を載置して、アンダーフレーム８８に溶接された取付金具８９で外郭ケース８１とビス締め固定され、キッチン天面９０に配設されたキッチン穴開口９１に本体ユニット８０が収まり、キッチン天面９０の上にアンダーフレーム８８が載置されるようにキッチンに組み込まれる。ここで操作部ユニット９３によって２口の誘導加熱装置８２の加熱部９２ａ、９２ｂが別々に制御され、トッププレート８７に載置されたそれぞれの被加熱調理容器９４、９５を加熱するよう構成されている（例えば、特許文献１参照）。
【特許文献１】実開平６−６８６２６号公報
【発明の開示】
【発明が解決しようとする課題】
【０００４】
しかしながら、ここで図６、図７に代表される従来の組込み型の誘導加熱調理器用の被加熱調理容器において、トッププレート８７の下方に配置された誘導加熱装置８２の加熱部９２ａ、９２ｂに合わせてそれぞれ被加熱調理容器９４、９５を配置し、操作部ユニット９３によりそれぞれ加熱、制御されるため、温度調整、加熱ムラなどの調理性能を損なわないよう使用制約として鍋底径略２６ｃｍ以下の鍋類しか使えないという課題を有していた。
【０００５】
また、パーティーや大家族団らんで焼きそばなど５〜６人前同時にうまく調理するための機能がなく使い勝手と利便性に欠けるという課題を有していた。
【０００６】
本発明は、前記従来の課題を解決するもので、鍋底径略２６ｃｍ以下という使用制約をなくした大容量、大底径の被加熱調理容器やパーティーや大家族団らんで焼きそばなど５〜６人前同時にうまく調理するための被加熱調理容器を複数の誘導加熱装置８２の加熱部９２ａ、９２ｂで同時に加熱し、精度よく制御する構成とすることで、使い勝手がよく、利便性に優れた組込み型の誘導加熱調理器用の被加熱調理容器を提供することを目的とする。
【課題を解決するための手段】
【０００７】
前記従来の課題を解決するために、トッププレートの下方に配設された複数個の誘導加熱装置の加熱部を覆い隠すように１個の被加熱調理容器を形成することで、大容量、大底
径を有した被加熱調理容器を使用でき、トッププレートの面に効率的に当接させて操作部ユニットにより加熱部を同時に一定火力で加熱、制御したり、加熱部のそれぞれ異なる火力で加熱、制御したりできるため、緻密な温度調整、均一加熱などができ、調理性能を十分確保しつつ使い勝手がよく、利便性に優れた組込み型の誘導加熱調理器用の大容量、大底径を有した被加熱調理容器を提供するものである。
【発明の効果】
【０００８】
本発明の被加熱調理容器は、トッププレートの下方に配設された複数個の誘導加熱装置の加熱部を覆い隠すように形成することで、大容量、大底径を有した構成とすることができ、トッププレートの面に効率的に当接させて操作部ユニットにより複数個の加熱部を同時に一定火力で加熱、制御したり、複数個の加熱部をそれぞれ異なる火力で加熱、制御したりできるため、緻密な温度調整、均一加熱などができ、調理性能を十分確保しつつ使い勝手がよく、利便性に優れた組込み型の誘導加熱調理器用の大容量、大底径を有した被加熱調理容器を提供することができるものである。
【発明を実施するための最良の形態】
【０００９】
第１の発明は、組込み型誘導加熱調理器において、トッププレートの下方に配設された複数個の誘導加熱装置の加熱部を少なくとも２個以上覆い隠すように前記トッププレートに載置される被加熱調理容器であって、前記被加熱調理容器の底面にはそれぞれの前記誘導加熱装置の加熱部を覆う同心円状の加熱凸部を複数個有し、前記複数個の加熱凸部は前記トッププレートと当接してなる構成とすることにより、大容量、大底径を有した被加熱調理容器を形成することができ、底径２６ｃｍを超える大鍋による調理やパーティーや大家族団らんでの５〜６人前焼きそば同時調理などに最適で、調理性能、利便性に優れた組込み型誘導加熱調理器用の被加熱調理容器を提供することができる。
【００１０】
第２の発明は、特に、第１の発明の一つの被加熱調理容器は、トッププレートの端面を全周覆うように嵌合したトップフレームの端面で係止する位置決めリブを配設することにより、被加熱調理容器で覆い隠された複数個の加熱部に対して、所定のトッププレートの位置に常に配置でき、被加熱調理容器への加熱、制御が変動することなく安定した調理性能を確保することができる。また使用者が配置を気にすることなく位置決めできて使い勝手のよい被加熱調理容器を提供することができる。
【００１１】
第３の発明は、特に、第１の発明の一つの複数個の誘導加熱装置おのおのの加熱部の略加熱範囲に合わせて、加熱ゾーン、保温ゾーンを配設し、前記加熱ゾーンと前記保温ゾーンの調理面にそれぞれ異なる形状を有することにより、複数個の誘導加熱装置の火力を別々に設定して加熱ゾーンと保温ゾーンにそれぞれ対応した誘導加熱装置の火力を供給して温度制御し、かたや火力感、かたや焦げ付き防止の保温が同時にできる使い勝手と利便性に優れた被加熱調理容器を提供することができる。
【００１２】
第４の発明は、特に、第１の発明の１つのアルミニウム加熱可能な誘導加熱装置を有した誘導加熱調理器において、全体をアルミニウムで構成することにより、加熱による調理面の均一でリニアな温度上昇が可能で、大容量の被加熱調理容器であるため、ヒートマスは増大し、熱しやすく、さめにくい調理面を構成することができ、特にクレープやホットケーキやお好み焼きといった調理に最適で、出来栄えのよい料理を作ることができる。
【００１３】
第５の発明は、特に、第１の発明の１つの被加熱調理容器の温度を検知して制御する温度検知装置は、それぞれの誘導加熱装置に少なくとも１個配設され、前記被加熱調理容器を温度制御する前記温度検知装置の内の１個が異常温度を検知して加熱を停止すると、同時に残りの前記温度検知装置も加熱を停止するよう制御することにより、広範囲での調理時に任意の部位の異常温度を迅速に検知でき、他の誘導加熱装置も安全かつ迅速に加熱停
止することができる。
【００１４】
第６の発明は、特に、第１の発明の１つの被加熱調理容器を加熱する複数個の誘導加熱装置をすべて同時に加熱開始または加熱停止する１個の一括スイッチを配設することにより、１度に複数個の誘導加熱装置の加熱開始または加熱停止をすることができ、使い勝手と利便性に優れた被加熱調理容器を提供することができる。
【００１５】
第７の発明は、特に、第６の発明の１つの組込み型誘導加熱調理器に１個の一括スイッチに付随して火力調節可能な一括火力操作キーを配設し、前記一括火力操作キーを押して所定の火力に設定すれば被加熱調理容器を加熱する複数個の誘導加熱装置の消費電力をすべて同じに制御することにより、１度の操作で複数個の誘導加熱装置が同じ火力を被加熱調理容器に供給することができ、均一で温度ムラの少ない調理を実現することができる。
【００１６】
第８の発明は、特に、第３及び第７の発明の１つの組込み型誘導加熱調理器の複数個の誘導加熱装置それぞれに対応して、火力調節可能な個別火力操作キーを配設することにより、被加熱調理容器を加熱する複数個の誘導加熱装置を調理シーンに合わせて異なる温度設定にすることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における誘導加熱調理器用の被加熱調理容器の要部断面図を示すものである。
【００１９】
図１において、キッチンカウンター１の開口穴に組み込まれた誘導加熱調理器本体２は、板金製の外郭ケース３の中に略円形でΦ１８０ｍｍ以上の直径を有する３口の加熱コイルで構成された誘導加熱装置４ａ、４ｂ、４ｃを配設し、その下方に相対して３つの制御装置５ａ、５ｂ、５ｃ及び３つの冷却装置６ａ、６ｂ、６ｃを配設し、誘導加熱装置４ａ、４ｂ、４ｃのそれぞれ略中央に構成されかつトッププレート９の下面に当接するように温度検知装置７ａ、７ｂ、７ｃが配設されている。
【００２０】
次に外郭ケース３の上方開口を覆うようにトップユニット８を嵌合し、ビス締め固定している。トップユニット８はトッププレート９の端面を全周覆いトッププレート９の上面より突出させて段差を設けて嵌合したトップフレーム１０と、トッププレート９の下面を接着して載置するアンダーフレーム１１で構成されている。
【００２１】
ここでクラッド材でできた被加熱調理容器１２は、トッププレート９の下方に配設された３口の誘導加熱装置４ａ、４ｂ、４ｃをすべて覆い、加熱凸部１３ａ、１３ｂ、１３ｃそれぞれが誘導加熱装置４ａ、４ｂ、４ｃの略円形の加熱コイルを覆うように略同心円状に形成され、トッププレート９に当接、載置される。被加熱調理容器１２の調理面１４は前面フラットで両端には樹脂製の把手１５が配設されている。なお、キッチンカウンター１に配設された操作部１６は制御装置５ａ、５ｂ、５ｃに電気的に接続されている。
【００２２】
以上のように構成された誘導加熱調理器用の被加熱調理容器について、以下その動作、作用を説明する。
【００２３】
操作部１５により誘導加熱装置４ａ、４ｂ、４ｃに電力が供給されると、トッププレート９に載置された被加熱調理容器１２の加熱凸部１３ａ、１３ｂ、１３ｃそれぞれが加熱され調理面１４全体を加熱することができ、幅約８００ｍｍ、奥行き約２５０ｍｍの大容
量の被加熱調理容器１２を提供することができるように作用する。さらに被加熱調理容器１２の大きさ、ヒートマスに応じた火力、消費電力を３口の誘導加熱装置４ａ、４ｂ、４ｃで効率よく発生させるとともに、調理面１４を均一に加熱して５〜６人前の焼きそばや野菜炒めなどを一度に出来栄えよく調理することができ、大容量調理に最適で調理性能、利便性に優れた被加熱調理容器１２を提供できるように作用する。
【００２４】
なお、被加熱調理容器１２はクラッド材としているが、調理の種類によって本実施の形態１の作用を有するものであれば、どのような材料であってもよい。
【００２５】
また、本実施の形態１では３口の誘導加熱装置を配設しているが、２口以上の誘導加熱装置を加熱源とする被加熱調理容器１２で構成されればよく、円形、矩形、鍋、フライパン等どのような被加熱調理容器１２であってもよい。
【００２６】
（実施の形態２）
図２は、本発明の第２の実施の形態における誘導加熱調理器用の被加熱調理容器の要部断面図である。なお、本実施の形態２の基本構成は実施の形態１と同様であるので、その同様な部分の説明は省略し、相違点を中心に説明する。また、実施の形態１と同じ機能には同じ符号を付してその説明を省略する。
【００２７】
図２において、本実施の形態の特徴は、実施の形態１の被加熱調理容器１２の４辺に係止リブ２１を配設して、誘導加熱調理器本体２のトップフレーム１０の突出部２２に当接している点である。
【００２８】
以上のように構成された誘導加熱調理器用の被加熱調理容器について、以下その動作、作用を説明する。
【００２９】
被加熱調理容器１２の４辺に係止リブ２１を配設して、トップフレーム１０の突出部２２に当接しているため、トッププレート９の下方に配設された誘導加熱装置４ａ、４ｂ、４ｃの円形状の加熱コイルに対して被加熱調理容器１２の加熱凸部１３ａ、１３ｂ、１３ｃが同心円状に配設されてトッププレート９に当接することで、効率よく被加熱調理容器１２を誘導加熱するよう作用するとともに使用者が配置を気にすることなく位置決めできて使い勝手のよい被加熱調理容器１２を提供することができるよう作用する。
【００３０】
（実施の形態３）
図３は、本発明の第３の実施の形態における誘導加熱調理器用の被加熱調理容器の要部断面図である。なお、本実施の形態３の基本構成は実施の形態１と同様であるので、その同様な部分の説明は省略し、相違点を中心に説明する。また実施の形態１と同じ機能には同じ符号を付してその説明を省略する。
【００３１】
図３において本実施の形態の特徴は、実施の形態１の被加熱調理容器３１の調理面３２にフラットな形状の加熱ゾーン３３と凸凹な形状の保温ゾーン３４と両者の境界に境界凸部を配設している点である。
【００３２】
以上のように構成された誘導加熱調理器用の被加熱調理容器について、以下その動作、作用を説明する。
【００３３】
誘導加熱装置４ａ、４ｂ、４ｃの火力を別々に設定して被加熱調理容器３１の調理面３２にフラットな形状で直接調理物を効率よく加熱する加熱ゾーン３３と凸凹な形状で調理物への接触面積を軽減した保温ゾーン３４を配設することでそれぞれのゾーンに対応した誘導加熱装置４ａ、４ｂ、４ｃの火力を供給して温度制御し、かたや火力感、かたや焦げ
付き防止の保温が同時にできる使い勝手と利便性に優れた被加熱調理容器１２を提供することができるように作用する。
【００３４】
（実施の形態４）
図１により本発明の第４の実施の形態を説明する。
【００３５】
図１において、本実施の形態の特徴は、実施の形態１の誘導加熱装置４ａ、４ｂ、４ｃが制御装置５ａ、５ｂ、５ｃによりアルミニウム製の被加熱調理容器１２を加熱、制御することができる点である。
【００３６】
以上のように構成された誘導加熱調理器用の被加熱調理容器について、以下その動作、作用を説明する。
【００３７】
誘導加熱装置４ａ、４ｂ、４ｃが制御装置５ａ、５ｂ、５ｃによりアルミニウム製の被加熱調理容器１２を加熱、制御することができるため、アルミニウムの特性を活かして加熱による調理面１４の均一でリニアな温度上昇が可能で、大容量の被加熱調理容器１２であるため、ヒートマスは増大し、熱しやすく、さめにくい調理面１４を構成することができ、特にクレープやホットケーキやお好み焼きといった調理に最適で、出来栄えのよい料理を作ることができるよう作用する。
【００３８】
（実施の形態５）
図４は、本発明の第５の実施の形態における誘導加熱調理器用の被加熱調理容器の要部断面図である。なお、本実施の形態５の基本構成は実施の形態１と同様であるので、その同様な部分の説明は省略し、相違点を中心に説明する。また実施の形態１と同じ機能には同じ符号を付してその説明を省略する。
【００３９】
図４において、本実施の形態の特徴は、実施の形態１の誘導加熱装置４ａ、４ｂ、４ｃにそれぞれ２個の温度検知装置４１ａ甲、４１ａ乙、４１ｂ甲、４１ｂ乙、４１ｃ甲、４１ｃ乙が配設されている点である。
【００４０】
以上のように構成された誘導加熱調理器用の被加熱調理容器について、以下その動作、作用を説明する。
【００４１】
大容量の被加熱調理容器１２の任意の位置での異常温度上昇を検知できるよう誘導加熱装置４ａ、４ｂ、４ｃにそれぞれ２個の温度検知装置４１ａ甲、４１ａ乙、４１ｂ甲、４１ｂ乙、４１ｃ甲、４１ｃ乙が最適に配設されることで広範囲での調理時の異常温度を迅速に検知でき、他の誘導加熱装置も安全かつ迅速に加熱停止するように作用する。
【００４２】
（実施の形態６）
図５は、本発明の第６の実施の形態における誘導加熱調理器の操作部の平面図である。なお、本実施の形態６の基本構成は実施の形態１と同様であるので、その同様な部分の説明は省略し、相違点を中心に説明する。また実施の形態１と同じ機能には同じ符号を付してその説明を省略する。
【００４３】
図５において、本実施の形態の特徴は、実施の形態１の操作部５１に電源スイッチ５２と一括スイッチ５３を配設している点である。
【００４４】
以上のように構成された誘導加熱調理器用の被加熱調理容器について、以下その動作、作用を説明する。
【００４５】
誘導加熱装置４ａ、４ｂ、４ｃをすべて同時に加熱開始または加熱停止する１個の一括スイッチ５３を操作部５１に配設することにより、電源スイッチ５２を押して電源を入れ、一括スイッチ５３を押すと１度に誘導加熱装置４ａ、４ｂ、４ｃの加熱開始または加熱停止をすることができ、使い勝手と利便性に優れた被加熱調理容器を提供することができるよう作用する。
【００４６】
（実施の形態７）
図６は、本発明の第７の実施の形態における誘導加熱調理器の操作部の平面図である。なお、本実施の形態７の基本構成は実施の形態６と同様であるので、その同様な部分の説明は省略し、相違点を中心に説明する。また実施の形態６と同じ機能には同じ符号を付してその説明を省略する。
【００４７】
図６において、本実施の形態の特徴は、実施の形態６の操作部６１に一括火力操作キー６２と火力レベル表示６３を配設している点である。
【００４８】
以上のように構成された誘導加熱調理器用の被加熱調理容器について、以下その動作、作用を説明する。
【００４９】
操作部６１に一括スイッチ５３に付随して火力調節可能な一括火力操作キー６２を配設し、一括火力操作キー６２のアップダウン矢印を押して所定の火力に設定すれば火力レベル表示６３が所定の設定位置で点灯し、被加熱調理容器１２を加熱する誘導加熱装置４ａ、４ｂ、４ｃの消費電力をすべて同じに制御することにより、１度の操作で誘導加熱装置４ａ、４ｂ、４ｃが同じ火力を被加熱調理容器１２に供給することができ、均一で温度ムラの少ない調理を実現するように作用する。
【００５０】
（実施の形態８）
図７は、本発明の第８の実施の形態における誘導加熱調理器の操作部の平面図である。なお、本実施の形態８の基本構成は実施の形態３および７と同様であるので、その同様な部分の説明は省略し、相違点を中心に説明する。また実施の形態３および７と同じ機能には同じ符号を付してその説明を省略する。
【００５１】
図７において、本実施の形態の特徴は、実施の形態３および７の誘導加熱装置４ａ、４ｂ、４ｃそれぞれに対応して操作部７１に個別加熱スイッチ７２ａ、７２ｂ、７２ｃと個別火力操作キー７３ａ、７３ｂ、７３ｃと個別火力レベル表示７４ａ、７４ｂ、７４ｃを配設している点である。
【００５２】
以上のように構成された誘導加熱調理器用の被加熱調理容器について、以下その動作、作用を説明する。
【００５３】
誘導加熱装置４ａ、４ｂ、４ｃそれぞれに対応して、火力調節可能な個別火力操作キー７３ａ、７３ｂ、７３ｃを配設することにより、個別加熱スイッチ７２ａ、７２ｂ、７２ｃを押すと、被加熱調理容器１２を加熱する誘導加熱装置４ａ、４ｂ、４ｃを個別に加熱したり、個別に火力設定したりでき、調理シーンに合わせてきめ細かな設定ができるように作用する。
【産業上の利用可能性】
【００５４】
以上のように、本発明にかかる組込み型加熱調理器用被加熱調理容器は、一般家庭のキッチンに組み込まれる全ての誘導加熱調理器に適用できる。
【図面の簡単な説明】
【００５５】
【図１】本発明の第１及び第４の実施の形態における誘導加熱調理器用の被加熱調理容器の要部断面図
【図２】本発明の第２の実施の形態における誘導加熱調理器用の被加熱調理容器の要部断面図
【図３】本発明の第３の実施の形態における誘導加熱調理器用の被加熱調理容器の要部断面図
【図４】本発明の第５の実施の形態における誘導加熱調理器用の被加熱調理容器の要部断面図
【図５】本発明の第６の実施の形態における誘導加熱調理器の操作部の平面図
【図６】本発明の第７の実施の形態における誘導加熱調理器の操作部の平面図
【図７】本発明の第８の実施の形態における誘導加熱調理器の操作部の平面図
【図８】従来の組込み型加熱調理器の要部断面図
【符号の説明】
【００５６】
１  キッチンカウンター
２  誘導加熱調理器本体
３  外郭ケース
４ａ、４ｂ、４ｃ  誘導加熱装置
５ａ、５ｂ、５ｃ  制御装置
６ａ、６ｂ、６ｃ  冷却装置
７ａ、７ｂ、７ｃ  温度検知装置
８  トップユニット
９  トッププレート
１０  トップフレーム
１１  アンダーフレーム
１２、３１  被加熱調理容器
１３  加熱凸部
１４、３２  調理面
１５  把手
１６、５１、６１、７１  操作部
２１  係止リブ
２２  突出部
３３  加熱ゾーン
３４  保温ゾーン
３５  境界凸部
４１ａ甲、４１ａ乙、４１ｂ甲、４１ｂ乙、４１ｃ甲、４１ｃ乙  温度検知装置
５２  電源スイッチ
５３  一括スイッチ
６２  一括火力操作キー
６３  火力レベル表示
７２ａ、７２ｂ、７２ｃ  個別加熱スイッチ
７３ａ、７３ｂ、７３ｃ  個別火力操作キー
７４ａ、７４ｂ、７４ｃ  個別火力レベル表示
【図１】
2010167109.tif 000003
【図２】
2010167109.tif 000004
【図３】
2010167109.tif 000005
【図４】
2010167109.tif 000006
【図５】
2010167109.tif 000007
【図６】
2010167109.tif 000008
【図７】
2010167109.tif 000009
【図８】
2010167109.tif 000010